(57)【要約】      （修正有）【課題】マスクを収納する箱を堅牢かつ衛生的に配置するマスク収納箱を提供することである。また他の課題は、生活感が漂うことのないマスク収納箱を提供する。【解決手段】マスク収納箱１０は、マスクを収納するために底面部と底面部の周囲を囲む側面部とを有する筐体部２０と、筒状を呈するスリーブ部１００と、を有し、スリーブ部１００は、筐体部２０を出没可能に収納する。また、スリーブ部１００は、両側を開口する角形筒状を呈するものであり、展開すると第１面１１０と第２面１２０と第３面１３０と第４面１４０とのりしろ部とを有する。また、第４面１４０は、マスクの説明書き記載したマスク記載部１４１を有する。このマスク記載部１４１は、マスク収納箱１０を載置する部分に接するので、使用時には使用者の目に触れない。【選択図】図１
0003231252.tif 000002
【実用新案登録請求の範囲】
【請求項１】
マスクを収納するために底面部と前記底面部の周囲を囲む側面部とを有する筐体部と、
筒状を呈するスリーブ部と、を有し、
前記スリーブ部は、前記筐体部を出没可能に収納するマスク収納箱。
【請求項２】
前記側面部は、互いに前記底面部を挟んで対向する一対の長側部と、互いに前記底面部を挟んで対向する一対の短側部と、を有し、
前記一対の長側部は、第１長側片と第２長側片と、その境界の第１境界部とを有し、
前記一対の短側部は、第１短側片と第２単側片と、その境界の第２境界部とを有し、
前記第１境界部および、前記第２境界部を折り曲げることで、それぞれ前記一対の長側部および前記一対の短側部を構成する請求項１記載のマスク収納箱。
【請求項３】
前記スリーブ部は、前記底面部に対応する位置に配置する第４面と、を有し、
前記第４面は、マスクの説明書き記載したマスク記載部をさらに有する請求項１または２記載のマスク収納箱。
【請求項４】
前記筐体部は、一連の紙片で構成され、
前記スリーブ部は、一連の紙片で構成されている請求項１から３のいずれかに記載のマスク収納箱。
【考案の詳細な説明】
【技術分野】
【０００１】
本考案は、マスクを収納するマスク収納箱に関するものである。
【背景技術】
【０００２】
近頃、新型コロナウイルス（ＳＡＲＳ−Ｃｏｖ−２）の感染症（ＣＯＶＩＤ−１９）の流行により、そのウイルスを他人に移す可能性を軽減するためにマスクをつけることが推奨されている。
【０００３】
このようなマスクは、３０枚ずつあるいは１００枚ずつといった複数枚のマスクが箱に入れられて販売されている。このような複数枚のマスクが入れられた箱を例えば各家庭のリビングや玄関先に配置し、その箱の上部を開封することで外出時に収納されたマスクを取り出して使用するものである。
【０００４】
また、特開２０１１−２１５７５４号公報において、たばこ箱の大きさの箱であり、マスクを折り畳んで詰め込んだ箱が開示されている。このようなマスクの箱の蓋は、爪部分を箱本体に差し込んで蓋を閉じるという構成である。
【０００５】
このようなマスクを収納した箱は、開封後埃の侵入を防ぐために、上述の通り爪部分を箱本体に差し込んで蓋を閉じるものであるが、その爪部分が箱本体に差し込みにくくまた壊れやすいものである。また、マスクの使用環境においてリビングや玄関などの人目のつきやすいところに配置されているが、マスクの説明書きがその箱の正面あるいは側面に記載されていることから生活感が漂い室内に配置された家具から浮いた存在となっている。
【先行技術文献】
【特許文献】
【０００６】
【特許文献１】特開２０１１−２１５７５４号公報
【考案の概要】
【考案が解決しようとする課題】
【０００７】
本考案は前記の点に着目してなされたもので、その課題は、マスクを収納する箱を堅牢かつ衛生的に配置するマスク収納箱を提供することである。また他の課題は、生活感が漂うことのないマスク収納箱を提供することである。
【課題を解決するための手段】
【０００８】
前記の課題を解決するために、第１観点のマスク収納箱は、マスクを収納するために底面部と底面部の周囲を囲む側面部とを有する筐体部と、筒状を呈するスリーブ部と、を有し、スリーブ部は、筐体部を出没可能に収納するというものである。
【０００９】
また、第２観点のマスク収納箱は、第１観点において、側面部は、互いに底面部を挟んで対向する一対の長側部と、互いに底面部を挟んで対向する一対の短側部と、を有し、一対の長側部は、第１長側片と第２長側片と、その境界の第１境界部とを有し、一対の短側部は、第１短側片と第２単側片と、その境界の第２境界部とを有し、第１境界部および、前記第２境界部を折り曲げることで、それぞれ一対の長側部および一対の短側部を構成するというものである。
【００１０】
また、第３観点のマスク収納箱は、第１観点あるいは第２観点において、スリーブ部は、底面部に対応する位置に配置する第４面と、を有し、第４面は、マスクの説明書き記載したマスク記載部をさらに有するというものである。
【００１１】
また、第４観点のマスク収納箱は、第１観点から第３観点において、筐体部は、一連の紙片で構成され、スリーブ部は、一連の紙片で構成されているというものである
【考案の効果】
【００１２】
本考案は以上のように構成され、かつ、作用するものであるから、マスクを収納する箱を堅牢かつ衛生的に配置するマスク収納箱を提供することができる。また、生活感が漂うことのないマスク収納箱を提供することができる。
【図面の簡単な説明】
【００１３】
【図１】Ａは、マスク収納箱の正面斜視図である。Ｂは、マスク収納箱の底面斜視図である。
【図２】マスク収納箱の分解斜視図である。
【図３】筐体部に複数のマスクを収納したマスク収納箱の分解斜視図である。
【図４】筐体部の展開図である。
【図５】スリーブ部の展開図である。
【００１４】
以下、図示の実施形態を参照してマスク収納箱１０について説明する。マスク収納箱１０は文字通り複数のマスクを収納するためのものであり、筐体部２０とスリーブ部１００とを有する。
【００１５】
筐体部２０は、箱状を呈するものでありその内部２１に複数のマスクＭを収納することができる。スリーブ部１００は、その筐体部２０を、覆うためのものである。筐体部２０は、後述するようにシート状の紙片を所定形状の抜型で抜いたものであり、その抜いた一連の紙片を組みたてたものである。なお複数のマスクＭは、図示しないシュリンクする袋に入れられて、マスクＭであることを表示することができる。
【００１６】
筐体部２０は、底面を構成する、底面部３０と、その底面部３０の周囲に立設する側面部４０を有する。側面部４０は、互いに底面部３０を挟んで上下ＵＤに対向する一対の長側部５０、５０と、互いに底面部３０を挟んで左右ＬＲに対向する一対の短側部６０、６０とを有する。文字通り、長側部５０は、短側部６０よりその幅は長く、また底面部３０は、矩形状を呈する。
【００１７】
また筐体部２０は一連の紙片で構成することができ、展開した筐体部２０はブランクと呼ばれることがある。すなわち１枚の紙片から、展開した筐体部２０の形状にいわゆる抜き加工することで、その展開した１連の紙片からなる筐体部２０を得ることができる。
【００１８】
長側部５０は、矩形状を呈する第１長側片５１と矩形状を呈する第２長側片５２とを有し、その間の第１境界部５３を折ることで、その長側部５０を構成する。
【００１９】
短側部６０は、矩形状を呈する第１短側片６１と矩形状を呈する第２短側片６２とを有し、その間の第２境界部６３を折ることで、その短側部６０を構成する。
【００２０】
また、底面部３０と、第１長側片５１とは、底面部長辺３１を境界として接続されており、底面部３０と、第１短側片６１とは、底面部短辺３２を境界として接続されている。
【００２１】
また、第１長側片５１における第１長側部辺５４と、第１短側片６１における第１短側部辺６４とを接続するリブ７０を有する。筐体部２０においてリブ７０は４か所有する。また、リブ７０、ほぼ階段状を呈し、第１長側部辺５４と第１短側部辺６４との交点を通りリブ７０を２分する２分辺７１を折り曲げることができる。
【００２２】
また、上記の通り、リブ７０は第１長側片５１および第１短側片６１に、それぞれ接続されている。また上述の第１長側部辺５４と、第１短側部辺６４とは、それぞれリブ７０と第１長側片５１との境界、およびリブ７０と第２短側片６１との境界を構成している。
【００２３】
第２長側片５２の左右ＬＲの両側の両側辺５６、５６に接続するようにのりしろ部５７、５７を有する。また、第２長側片５２の外方辺５８に接続するように第１突出部５９を有する。また、第２短側片６２の第２外方辺６８に接続するように第２突出部６９を有する。
【００２４】
また、スリーブ部１００は、両側を開口する角形筒状を呈するものである。またスリーブ部１００は、展開すると第１面１１０と第２面１２０と第３面１３０と第４面１４０とのりしろ部１５０とを有する。また、第４面１４０は、マスクＭの説明書き記載したマスク記載部１４１を有する。このマスク記載部１４１は、マスク収納箱１０を載置する部分に接するので、使用時には図示しない使用者の目に触れないというものである。
【００２５】
またスリーブ部１００は一連の紙片で構成することができ、展開したスリーブ部１００はブランクと呼ばれることがある。すなわち１枚の紙片から、展開したスリーブ部１００の形状にいわゆる抜き加工することで、その展開した１連の紙片からなるスリーブ部１００を得ることができる。
【００２６】
また、第１面１１０と第２面１２０と第３面１３０と第４面１４０とのりしろ部１５０とは、複数の境界部１６０で仕切られており、その複数の境界部１６０を山折りし、のりしろ部１５０を、第１面１１０の裏側に貼り付けることで両側を開口する開口部１７０、１７０を有し、角形筒状を呈するスリーブ部１００を構成する。
【００２７】
筐体部２０を組み立てる方法としては、底面部３０の周囲に側面部４０を立設する。具体的には、一対の長側部５０、５０における第１長側片５１を底面部長辺３１で谷折りすることで引き起こすとともに、一対の短側部６０における第２短側片６１を底面部短辺３２で谷折りすることで引き起こす。
【００２８】
また、そのときに、４か所有するリブ７０における２分する２分辺７１を山折りし、第１長側部辺５４と、第１短側部辺６４とを谷折りする。
【００２９】
また、第１境界部５３を谷折りし、第２長側片５２を第１長側片５１に接するように折る。また、第２境界部６３を谷折りし、第２短側片６２を第１短側片６１に接するように折る。
【００３０】
その後、両側辺５６、５６を折り曲げ、のりしろ部５７、５７を、第１長側片５１、５１に貼り付ける。また、第１突出部５９、５９と第２突出部６９、６９とをそれぞれ、底面部３０に貼り付けることで筐体部２０を構成する。
【００３１】
このように構成した筐体部２０をスリーブ部１００に収納するように配置する。このとき、スリーブ部１００における第４面１４０は、底面部３０に対応する位置に配置されるとともに、マスクＭの説明書きを記載したマスク記載部１４１が、設置する場所に載置されるために、そのマスク記載部１４１が隠すことで、使用時には人目に付きにくくなり室内の雰囲気をいたずらに壊すことがない。
【００３２】
また、長側部５０および短側部６０は、それぞれ、第１長側片５１と第２長側片５２と、第１短側片６１と第２短側片６２とを有するいわば２重構造であり、また、第１突出部５９、５９と第２突出部６９、６９とをそれぞれ、底面部３０に貼り付けているので、マスク収納箱１０は比較的堅牢である。またスリーブ部１００における開口部１７０、１７０から、筐体部２０を挿入することで、そのスリーブ部１００内にその筐体部２０を収納することで埃の侵入を比較的押さえることができる。
【００３３】
また、マスク記載部１４１を上述の位置に配置するとともに、スリーブ部１００における第１面１１０と第２面１２０と第３面１３０および、長側部５０および短側部６０の外部にそれぞれ、印刷等により図示しない模様を付すことで、デザイン性に優れ生活感が漂うことのないマスク収納箱１０を提供することができる。
【符号の説明】
【００３４】
１０  マスク収納箱
２０  筐体部
２１  内部
３０  底面部
３１  底面部長辺
３２  底面部短辺
４０  側面部
５０  長側部
５１  第１長側片
５２  第２長側片
５３  第１境界部
５９  第１突出部
６０  短側部
６１  第１短側片
６２  第２短側片
６３  第２境界部
６９  第２突出部
７０  リブ
１００  スリーブ部
１１０  第１面
１２０  第２面
１３０  第３面
１４０  第４面
１４１  マスク記載部
Ｍ  マスク
【図１】
0003231252.tif 000003
【図２】
0003231252.tif 000004
【図３】
0003231252.tif 000005
【図４】
0003231252.tif 000006
【図５】
0003231252.tif 000007